(57)【要約】【課題】軽量、安価で、ダスト捕獲用ネットの交換が容易なダスト等捕捉装置を提供する。【解決手段】基台３に、ダスト捕捉用の粘着剤（図示せず）を有するシート状のネット１０とネット１０の片面に貼着された剥離紙１１をロール状に巻いて形成されたネットロール１２と、ネットロール１２を収納する収納部１３と、ネット１０を張架するローラー下・上７、８と、ローラー下・上７、８に張架されたネット１０を巻き取る巻取り手段１４とを備え、巻取り手段１４の動作に連動して、剥離紙１１をネット１０より剥離するもので、ネット１０の交換時には、巻取り手段１４で使用済みのネット１０を巻き取るだけで、粘着剤を有するネット１０の新しい部分を外部に露出させることができ、煩雑なネット１０の運搬作業や付け替え作業が不要になり、使用勝手がよい。また、構成が簡素で軽量化がはかれるので大掛かりな設備が不要になり、設備投資コストを大幅に低減できる。【選択図】      図１
2008049313.tif 000002
【特許請求の範囲】
【請求項１】
基台に、ダスト捕捉用の粘着剤を有するシート状のネットと前記ネットの片面に貼着された剥離紙をロール状に巻いて形成されたネットロールと、前記ネットロールを収納する収納部と、前記ネットを張架するローラーと、前記ローラーに張架された前記ネットを巻き取る巻取り手段とを備え、前記巻取り手段の動作に連動して、前記剥離紙を前記ネットより剥離するダスト等捕捉装置。
【請求項２】
ネットに付着させる液剤を収納する液剤ケースを設けた請求項１に記載のダスト等捕捉装置。
【請求項３】
同一の巻取り手段で、ネットと剥離紙の両方を巻き取るようにした請求項１又は２に記載のダスト等捕捉装置。
【請求項４】
基台に、シート状のネットをロール状に巻いた状態で収納する収納部と、前記ネットを張架するローラーと、前記ローラーに張架された前記ネットを巻き取る巻取り手段と、ダスト捕捉用の粘着剤を収納する粘着剤ケースとを備え、前記巻取り手段の動作に連動して、前記粘着剤を前記ネットに付着させるようにしたダスト等捕捉装置。
【請求項５】
ネットを張架するローラー間のピッチを調節可能にした請求項１〜４のいずれか1項に記載のダスト等捕捉装置。
【請求項６】
基台の底面に走行車輪を設けた請求項１〜５のいずれか1項に記載のダスト等捕捉装置。
【発明の詳細な説明】
【技術分野】
【０００１】
本発明は、自動車、機器、家具等の塗装工場、食品加工場、精密機械製造工場、電気部品製造工場等で生じる粉塵、塗料ミスト等のダストを除去するダスト等捕捉装置に関するものである。
【背景技術】
【０００２】
従来の工場内でのダストの除去方法として、広い合成樹脂製シートを、工場の壁に取り付けたり、床に敷いた上、刷毛又はローラー等でダストを捕捉する粘着剤を塗布する方法があった（例えば、特許文献１参照）。しかし、このような方法の場合、広い合成樹脂製シートを壁や床に取り付けた後に、粘着剤を塗布するため非常に手間がかかった。このような問題を解決するために、所望幅を有するフレキシブルなシート状基材の片面に粘着剤を塗布し、この粘着剤を覆う剥離シートを貼着したダスト等吸着シートが提案されている（例えば、特許文献２参照）。このような剥離シートを貼着したダスト等吸着シートは、製造元の工場から使用現場まで運搬する上ですこぶる便利であり、かつ使用現場では、剥離シートを剥すのみでただちに使用することができるという長所を有している。
【０００３】
しかしながら、このような剥離シートを貼着したダスト等吸着シートは、使用時に、シートの全面に貼られた剥離シートを剥離する必要があるので、剥離の容易性を考えると、粘着剤の粘着力を強力にすることができず、それにより、ダストの吸着性も悪かった。
【０００４】
なお、剥離シートに、例えばシリコン系の剥離剤を使用すると、剥離性が改善されるが、シリコン系の剥離剤を使用すると、自動車塗装においてはその塗装面に、塗料が弾かれたような現象が生じ、不良品となるため、自動車塗装工場においては使用することができず、非シリコン系に限定されるという厄介な条件が存在する。
【０００５】
また、工場内のダスト等は、空気の流れにしたがって工場内を浮遊し、やがてダスト等粘着シートに付着するものであるが、上記のようなダスト等吸着シートの基材には、通気口が存在しないため、ダスト等の浮遊が阻害され、ダスト等粘着シートに対するダスト等の捕捉量が少ないという問題がある。つまり、粘着シートを工場の床に用いる場合には良好な性能を発揮するが、カーテン状に上から下方に垂下せしめて使用する点では十分な満足が得られないのであった。
【０００６】
これらの問題を解決するものとして、通気性の良いネットに粘着剤を塗布し、それに剥離シートを貼着して形成したダスト等の吸着用ネットを、現場で、使用箇所に応じた寸法に裁断し、それをカーテン状に垂下した後、貼着した剥離シートを除去し、粘着剤を露出させて使用するようにしたものがある（例えば、特許文献３参照）。
【０００７】
また、工場内の天井部にすでに設けられているクレーンガーターに、油圧シリンダーで支持したリールを取り付け、そのリールから引き下げる塵取りスクリーンに薬液槽から消毒洗浄液を噴霧して、クレーンガーターを自走させながら、工場空間の浮遊塵埃を塵取りスクリーンに吸着除去するようにしたダスト等捕捉装置も提案されている（例えば、特許文献４参照）。
【発明の開示】
【発明が解決しようとする課題】
【０００８】
しかしながら、上記特許文献３に記載された従来の平板状の吸着用ネットでダスト除去を行う方法では、ダストが付着した吸着用ネットを交換するときは、古い吸着用ネットを壁などから取り外し、新しい吸着用ネットを裁断し、壁に吊るし、剥離シートを剥がさなければならず、吸着用ネットの現場への搬入・搬出、吸着用ネットの交換、吸着用ネットの裁断、付け替えなど都度非常に複雑な作業が必要となるといった課題があった。
【０００９】
また、上記特許文献４に記載された従来のダスト等捕捉装置の構成では、クレーンガーターが無い工場では使用することができず、仮に高額のクレーンガーターを新たに設置して、同装置を取り付けたとしても、塵取りスクリーンは、クレーンガーターのレール方向でのみ移動可能なため、他方向（例えば、クレーンガーターのレール方向と直交する方向など）に移動できないため、同方向で浮遊する粉塵が除去できず、ダスト捕捉性能が悪いという課題があった。また、ダスト等捕捉装置も大掛かりになり設備投資費用が高額で、また、ダスト等捕捉装置の本体部分が工場の天井部にあるので、塵取りスクリーンの取り付け、薬液槽への洗浄液の補充などのメンテナンスが困難になるという課題があった。
【００１０】
本発明は、上記従来の課題を解決するもので、安価な構成で、工場内での運搬、設置、メンテナンスが容易で、しかもダスト除去性能に優れたダスト等捕捉装置を提供することを目的とするものである。
【００１１】
【特許文献１】特開昭６３−９３３７２号公報
【特許文献２】特開２０００−６１２２７号公報
【特許文献３】特開２００２−２３３８００号公報
【特許文献４】特開平９−６６２１１号公報
【課題を解決するための手段】
【００１２】
上記従来の課題を解決するために、本発明のダスト等捕捉装置は、基台に、ダスト捕捉用の粘着剤を有するシート状のネットと前記ネットの片面に貼着された剥離紙をロール状に巻いて形成されたネットロールと、前記ネットロールを収納する収納部と、前記ネットを張架するローラーと、前記ローラーに張架された前記ネットを巻き取る巻取り手段とを備え、前記巻取り手段の動作に連動して、前記剥離紙を前記ネットより剥離するもので、ネットを交換するときは、巻取り手段で使用済みのネットを巻き取るだけで、粘着剤を有するネットの新しい部分を外部に露出させることができるので、煩雑なネットの運搬作業や付け替え作業が不要になり、使用勝手がよい。また、構成が簡素で、軽量化がはかれるので油圧シリンダーや、クレーンガーターなどの設備が不要になり、設備投資コストを大幅に低減できる。
【００１３】
また、本発明のダスト等捕捉装置は、基台に、シート状のネットをロール状に巻いた状態で収納する収納部と、前記ネットを張架するローラーと、前記ローラーに張架された前記ネットを巻き取る巻取り手段と、ダスト捕捉用の粘着剤を収納する粘着剤ケースとを備え、前記巻取り手段の動作に連動して、前記粘着剤を前記ネットに付着させるようにしたもので、ネットを交換するときは、巻取り手段で使用済みのネットを巻き取るだけで、ネットの新しい部分に粘着剤を付着させながら外部に露出させることができるので、煩雑なネットの運搬作業や付け替え作業が不要になり、使用勝手がよい。また、構成が簡素で、軽量化がはかれるので油圧シリンダーや、クレーンガーターなどの設備が不要になり、設備投資コストを大幅に低減できる。また、同じネットを利用しながら、工場内の粉塵の種類や量に応じて最適な粘着剤、量を選定でき、しかも剥離紙が不要なので安価に構成することができる。さらに、乾燥前に滴下する液剤を粘着剤ケースで受けるようにすれば、周囲の汚染を防止することもできる。
【発明の効果】
【００１４】
本発明のダスト等捕捉装置は、煩雑なネットの運搬作業や付け替え作業が不要で、使用勝手がよく、また、構成が簡素で、軽量化がはかれるので、設備投資コストを大幅に低減できる。
【発明を実施するための最良の形態】
【００１５】
第１の発明は、基台に、ダスト捕捉用の粘着剤を有するシート状のネットと前記ネットの片面に貼着された剥離紙をロール状に巻いて形成されたネットロールと、前記ネットロールを収納する収納部と、前記ネットを張架するローラーと、前記ローラーに張架された前記ネットを巻き取る巻取り手段とを備え、前記巻取り手段の動作に連動して、前記剥離紙を前記ネットより剥離するもので、ネットを交換するときは、巻取り手段で使用済みのネットを巻き取るだけで、粘着剤を有するネットの新しい部分を外部に露出させることができるので、煩雑なネットの運搬作業や付け替え作業が不要になり、使用勝手がよい。また、構成が簡素で、軽量化がはかれるので油圧シリンダーや、クレーンガーターなどの設備が不要になり、設備投資コストを大幅に低減できる。
【００１６】
第２の発明は、特に、第１の発明のネットに付着させる液剤を収納する液剤ケースを設けたもので、液剤として粘着剤を使用すれば、使用環境やダストの種類に応じて、ネットに付着する粘着剤の量を増やしたり、乾燥前に滴下する液剤を液剤ケースで受けるようにすれば、周囲が汚染されるのを防止することができる。又、必要に応じて芳香剤などを含む液剤を使用すれば、工場内の空気に香りを与え快適な作業環境を作ることができる。
【００１７】
第３の発明は、特に、第１または第２の発明の巻取り手段で、ネットと剥離紙の両方を巻き取るようにしたもので、構成が簡素化されてさらに安価に構成できると共に、巻き取り作業やその準備作業も容易になる。
【００１８】
第４の発明は、基台に、シート状のネットをロール状に巻いた状態で収納する収納部と、前記ネットを張架するローラーと、前記ローラーに張架された前記ネットを巻き取る巻取り手段と、ダスト捕捉用の粘着剤を収納する粘着剤ケースとを備え、前記巻取り手段の動作に連動して、前記粘着剤を前記ネットに付着させるようにしたもので、ネットを交換するときは、巻取り手段で使用済みのネットを巻き取るだけで、ネットの新しい部分に粘着剤を付着させながら外部に露出させることができるので、煩雑なネットの運搬作業や付け替え作業が不要になり、使用勝手がよい。また、構成が簡素で、軽量化がはかれるので油圧シリンダーや、クレーンガーターなどの設備が不要になり、設備投資コストを大幅に低減できる。また、同じネットを利用しながら、工場内の粉塵の種類や量に応じて最適な粘着剤、量を選定でき、しかも剥離紙が不要なので安価に構成することができる。さらに、乾燥前に滴下する液剤を粘着剤ケースで受けるようにすれば周囲の汚染を防止することもできる。
【００１９】
第５の発明は、特に、第１〜４のいずれかひとつの発明のネットを張架するローラー間のピッチを調節可能にしたもので、ネットを、工場内の天井や障害物までの高さに合わせて最適な高さに簡単に調整できるので、ネットを無駄にすることが無く、使用勝手が良い。
【００２０】
第６の発明は、特に、第１〜５のいずれかひとつの発明の基台の底面に走行車輪を設けたもので、ダスト等捕捉装置を工場内で自由に移動させることができるようになるので、ダスト等の捕捉性能が向上する。
【００２１】
以下、本発明の実施例について図面を参照しながら説明する。なお、この実施例によって本発明が限定されるものではない。
【００２２】
（実施例１）
図1（ａ）は、本発明の第1の実施例におけるダスト等捕捉装置の全体斜視図、（ｂ）は、同ダスト等捕捉装置の支柱嵌合部の拡大断面図、図２は、同ダスト等捕捉装置のネットロールの部分拡大断面図である。
【００２３】
図１、２において、本実施例におけるダスト等捕捉装置１は、底面に回転自在の走行車輪２を取り付けた基台３と、基台３に間を置いて立設され上部に高さ調整穴４ａを有する一対の支柱Ａ４と、同じく基台３に間を置いて立設され、支柱Ａ４と対向するように配された一対の支柱Ｂ５と、下方の長手方向に複数の高さ調整穴６ａを有すると共に、支柱Ａ４の上端に摺動自在に外挿される一対の支柱Ｃ６と、一対の支柱Ａ４間の下部に回転自在に支持されたローラー下７と、一対の支柱Ｃ６間の上部に回転自在に支持されたローラー上８と、位置的にローラー上８とローラー下７との間に位置し、一対の支柱Ａ４間に、互いに間を置いて回転自在に支持された一対のローラー中９と、一対の支柱Ｂ５間の下方に配され、シート状のネット１０と剥離紙１１の２層からなるネットロール１２を回転自在に収納する収納部１３と、一対の支柱Ｂ５間の上部に設けられ、ネット１０と剥離紙１１を巻き取る巻取り手段１４と、ネット１０から剥離紙１１を剥離させるための剥離部材１５から構成されている。
【００２４】
１４ａは、巻取り手段１４を手で回転するためのハンドルであるが、このハンドル１４ａの代わりに、巻取り手段１４の側面に指穴（図示せず）を設け、そこに指を差し込んで巻取り手段１４を回転させるようにしても良い。
【００２５】
ネット１０は、ネット基材１０ａと、このネット基材１０ａに付着されダストを捕捉する粘着剤１０ｂから構成され、ネット基材１０ａは、不織布、織布、編布等でネット状、すなわち網目状に形成されてあるか、あるいは、長繊維、もしくは、短繊維にて平板状の不織布でフィルタ状に形成されている。
【００２６】
また、ネット基材１０ａは、上記以外でも、特に図示しないが、パンチングによる通気性を有する貫通穴が形成されてある形態、複数の帯状、あるいは糸状に形成された形態、さらには、シート状の合成樹脂発泡体も採用してもよい。
【００２７】
粘着剤１０ｂは、エポキシ樹脂、アクリル樹脂、テルペン樹脂、フェノール樹脂などからなりネット基材１０ａに塗布、吹き付け、含浸等の手段で付着される。
【００２８】
剥離紙１１は、シート状で、クラフト紙、グラシン紙、上質紙、ＰＥＴフィルム、ＯＰＰフィルムなどからなるシート状基材１１ａと、シート状基材１１ａに付着されフッ素、ワックス、オレフィン樹脂などからなる剥離層１１ｂから構成されている。
【００２９】
剥離部材１５は、棒状で表面にフッ素をコーティングした樹脂又は金属材料から形成されている。
【００３０】
１６は、ローラー上８を所定の高さで保持するためのピンで、図１（ｂ）に示すように、支柱Ａ４上で支柱Ｃ６を、ローラー上８が希望の高さになるように上又は下方向に摺動させ、支柱Ａ４の高さ調整穴４ａと支柱Ｃ６の高さ調整穴６ａを合わせ、そこにピン１６を差し込むことにより、ローラー上８が所定の高さで保持される。
【００３１】
次に、本実施例におけるダスト等捕捉装置１の使用方法について説明する。
【００３２】
最初に、本実施例におけるダスト等捕捉装置１を設置する工場内の天井、又は天井に配設された各種配管類（図示せず）などの障害物までの高さを考慮して、ローラー上８が最適な高さになるように、支柱Ｃ６を上下させて調整したうえで、ピン１６でそれを固定する。
【００３３】
次に、ネットロール１２を、収納部１３に収納し、ネット１０及び剥離紙１１のそれぞれの端部を、収納部１３に設けた開口部１３ａから引きずり出す。次に、ネット１０から剥離紙１１を剥がし、その剥離紙１１を巻取り手段１４に巻きつけながら、ネット１０を、図１に示すように、下側のローラー中９、ローラー下７、ローラー上８、上側のローラー中９に順に張架し、最後に巻取り手段１４に巻きつける。
【００３４】
本実施例では、ネット１０のネット基材１０ａがネット状、すなわち網目状あるいは、フィルター状になっているので、それに付着された粘着剤１０ｂは、ネット基材１０ａに含浸して、そのネット基材１０ａの両面で粘着剤１０ｂが露出している。すなわち、粘着剤１０ｂは、ネット１０の剥離紙１１が貼着されていた側と反対側の面（以下、「反剥離紙側面」という）にも現れ、その面で空気中に浮遊するダストを捕捉することができる。
【００３５】
そして、ネット１０の表面がダストで汚れ、ダストの捕捉性能が劣化してきたら、ハンドル１４ａを回して、巻取り手段１４で、ネット１０の新しい面が上側のローラー中９に達するまで、ネット１０を巻き取る。このとき、剥離紙１１も同時に、巻取り手段１４で巻き取られるので、操作が極めて容易である。
【００３６】
以上のように、本実施例によれば、ネット１０を交換したい時は、巻取り手段１４で使用済みのネット１０を巻き取るだけで、その動作に連動して剥離紙１１が剥がれ、粘着剤１０ｂを有するネット１０の新しい部分を外部に露出させることができるので、煩雑なネット１０の運搬作業や付け替え作業が不要になり、使用勝手がよい。また、構成が簡素で、軽量化がはかれるので油圧シリンダーや、クレーンガーターなどの設備が不要になり、設備投資コストを大幅に低減できる。
【００３７】
また、同一の巻取り手段１４で、ネット１０と剥離紙１１の両方を巻き取るようにしたので、構成が簡素化されて安価に構成できると共に、巻き取り作業やその準備作業も容易になる。
【００３８】
さらに、ネット１０を張架するローラー下７とローラー上８とのピッチを、支柱Ｃ６を上げ下げして調節可能にしているので、ネット１０を、工場内の天井（図示せず）や、天井に取り付けられた各種配管などの障害物（図示せず）までの高さに合わせて最適な高さに簡単に調整できるので、ネット１０を無駄にすることが無く、使用勝手が良い。
【００３９】
又、収納部１３、ローラー下７、ローラー上８、巻取り手段１４を設置した基台３の底面に走行車輪２を設けているので、ダスト等捕捉装置を工場内で自由に移動させることができるようになり、ダスト等捕捉装置の設置が容易になると共に、ダスト等の捕捉性能が大幅に向上する。
【００４０】
（実施例２）
図３（ａ）は、本発明の第２の実施例におけるダスト等捕捉装置の斜視図、（ｂ）は、同ダスト等捕捉装置の要部断面図である。なお、上記第１の実施例と同一部分については、同一符号を付してその説明を省略する。
【００４１】
本実施例におけるダスト等捕捉装置１９は、粘着剤および剥離紙のないネットをローラーに張架し、それを巻き取りながら粘着剤ケースに収納された粘着剤を前記ネットに付着させるようにしたもので、他の構成は、上記第１の実施例と同じである。
【００４２】
図３において、２０は、液状で、第１の実施例における粘着剤１０ｂと同じ材料からなる粘着剤２１を収納する粘着剤ケースで、同粘着剤ケース２０の底部に、ローラー下７が配されている。２２は、粘着剤ケース２０に設けられ、ゴムなどの弾性材料からなり、先端がネット１０の表面に当接して、粘着剤ケース２０内の粘着剤２１の乾燥を防止すると共に、ネット１０に粘着剤２１が余分に付着するのを防止するための摺接片である。
【００４３】
摺接片２２の反ネット１０側の端部のそれぞれは、粘着剤ケース２０に回動自在に設けられており、必要に応じて開けられるようになっている。
【００４４】
次に、本実施例におけるダスト等捕捉装置１９の使用方法について説明する。
【００４５】
最初に、上記第１の実施例と同様に、ダスト等捕捉装置１９を設置する工場内の天井、又は天井に配設された各種配管類（図示せず）などの障害物までの高さを考慮して、ローラー上８が最適な高さになるように調整したうえで、支柱Ｃ６をピン１６で固定する。
【００４６】
次に、ロール状に巻いたネット１０を、収納部１３に収納し、ネット１０の端部を収納部１３に設けた開口部１３ａから引きずり出し、図３に示すように、下側のローラー中９、ローラー下７、ローラー上８、上側のローラー中９に順に張架し、最後に巻取り手段１４に巻きつける。
【００４７】
そして、一方の摺接片２３を開けて、粘着剤２１を、ローラー下７が十分浸漬する深さまで、粘着剤ケース２０に投入し、ハンドル１４ａをまわして、巻取り手段１４で、ネット１０の粘着剤２１が付着した部分がローラー上８に達するまで巻き取る。これで、空中に浮遊するダスト捕獲の準備は完了する。
【００４８】
そして、ネット１０の表面がダストで汚れ、ダストの捕捉性能が劣化してきたら、ハンドル１４ａを回して、ネット１０の新たに粘着剤２１が付着した部分が上側のローラー中９に達するまで、巻取り手段１４でネット１０を巻き取るようにする。
【００４９】
以上のように、本実施例によれば、ネット１０を交換するときは、巻取り手段１４で使用済みのネット１０を巻き取るだけで、ネット１０の新しい部分に粘着剤２１を付着させながら外部に露出させることができるので、煩雑なネット１０の運搬作業や付け替え作業が不要になり、使用勝手がよい。また、構成が簡素で、軽量化がはかれるので油圧シリンダーや、クレーンガーターなどの設備が不要になり、設備投資コストを大幅に低減できる。また、同じネット１０を利用しながら、工場内の粉塵の種類や量に応じて最適な粘着剤、やその量を選定でき、しかも剥離紙が不要なので安価に構成することができる。
【００５０】
さらに、本実施例では、ローラー下７が、粘着剤ケース２０内に収められているので、万一、ネット１０に余分に付着した粘着剤２１が乾燥前に滴下するようなことがあっても、それが、粘着剤ケース２０で受けられるので、周囲が汚れるのを防止することができる。
【００５１】
なお、上記粘着剤ケース２０を、特に図示しないが、液剤を収納する液剤ケースとして、上記第１の実施例におけるダスト等捕捉装置に付加してもよい。勿論液剤ケースの設置位置は、第２の実施例における粘着剤ケース２０と同じにする。
【００５２】
このようにして、例えば、液剤として粘着剤を使用すれば、使用環境やダストの種類に応じて、ネット１０に予め付着していた粘着剤１０ｂにさらに粘着剤を付着させてその量を増やすことができる。又、必要に応じて芳香剤などを含む液剤を使用すれば、工場内の空気に香りを与え快適な作業環境を作ることもできる。
【産業上の利用可能性】
【００５３】
本発明に係るダスト等捕捉装置は、軽量、安価で、ダスト捕獲用ネットの交換が容易なもので、粉塵やミストの除去が不可欠な塗装工場、食品加工場、精密機械製造工場、電気部品製造工場等で広く使用することができる。
【図面の簡単な説明】
【００５４】
【図１】（ａ）本発明の第1の実施例におけるダスト等捕捉装置の全体斜視図（ｂ）同ダスト等捕捉装置の支柱嵌合部の拡大断面図
【図２】同ダスト等捕捉装置のネットロールの部分拡大断面図
【図３】（ａ）本発明の第２の実施例におけるダスト等捕捉装置の斜視図、（ｂ）同ダスト等捕捉装置の要部断面図
【符号の説明】
【００５５】
１、１９  ダスト等捕捉装置
２    走行車輪
３    基台
４    支柱Ａ
５    支柱Ｂ
６    支柱Ｃ
７    ローラー下（ローラー）
８    ローラー上（ローラー）  
９    ローラー中（ローラー）  
１０    ネット
１０ａ  ネット基材
１０ｂ  粘着剤
１１    剥離紙
１１ａ  シート基材
１２    ネットロール
１３    収納部
１４    巻取り手段
１５    剥離部材    
【図１】
2008049313.tif 000003
【図２】
2008049313.tif 000004
【図３】
2008049313.tif 000005